(57)【特許請求の範囲】
【請求項１】
建物の外壁に開口する換気口の屋外側端末に差し込ませて接続する差込筒と、差込筒の前方を覆うフードとを備える換気口カバーにおいて、
フード内に気流制御板を備えており、
この気流制御板は、フード正面に設けた開口部側から差込筒の開口側に向けて拡開する整流壁と、該整流壁に設けた通気口となる通気窓とを有し、
前記通気窓は、前記気流制御板の底部を分かち前記整流壁を逆Ｕ字状に形成するものであることを特徴とする換気口カバー。
【請求項２】
建物の外壁に開口する換気口の屋外側端末に差し込ませて接続する差込筒と、差込筒の前方を覆うフードとを備える換気口カバーにおいて、
フード内に気流制御板を備えており、
この気流制御板は、フード正面に設けた開口部側から差込筒の開口側に向けて拡開する整流壁と、該整流壁に設けた通気口となる八角形状の通気窓とを有することを特徴とする換気口カバー。
【請求項３】
建物の外壁に開口する換気口の屋外側端末に差し込ませて接続する差込筒と、差込筒の前方を覆うフードとを備える換気口カバーにおいて、
フード内に気流制御板を備えており、
この気流制御板は、フード正面に設けた開口部側から差込筒の開口側に向けて拡開する整流壁と、該整流壁に設けた通気口となる通気窓とを有し、気流制御板の上部、側部および底部をフードの上面、側面および底面に接するようにし、通気窓を気流制御板の中央よりも下方に設けることを特徴とする換気口カバー。
【請求項４】
建物の外壁に開口する換気口の屋外側端末に差し込ませて接続する差込筒と、差込筒の前方を覆うフードとを備える換気口カバーにおいて、
フード内に気流制御板を備えており、
この気流制御板は、フード正面に設けた開口部側から差込筒の開口側に向けて拡開する整流壁と、該整流壁に設けた通気口となる円形の通気窓とを有し、
整流壁は、フード正面に設けた開口部側から差込筒の開口側に向けてＶ字状に拡開するものであることを特徴とする換気口カバー。
【請求項５】
整流壁は、フード正面に設けた開口部側から差込筒の開口側に向けてＶ字状に拡開するものである請求項１〜請求項３何れか１項記載の換気口カバー。
【請求項６】
通気窓は、気流制御板の中央部分を貫通するものである請求項１〜請求項５何れか１項記載の換気口カバー。
【請求項７】
開口部がフード正面の下側に設けたガラリである請求項１〜請求項６何れか１項記載の換気口カバー。
【請求項８】
整流壁は、基体となる金属又は樹脂板に、空間補充材を積層させたものである請求項１〜請求項７何れか１項記載の換気口カバー。
【請求項９】
整流壁は、その全体をシート状の空間補充材で形成したものである請求項１〜請求項７何れか１項記載の換気口カバー。
【請求項１０】
整流壁の厚みが１５ｍｍ〜４０ｍｍである請求項８または請求項９記載の換気口カバー。
【発明の詳細な説明】
【技術分野】
【０００１】
本発明は、建物の換気口に取り付ける換気口カバーに関する。
【背景技術】
【０００２】
建物の外壁に設けられ、換気口への風雨の侵入を防止する換気口カバーは、換気口の屋外側端末に差し込ませる差込筒と、差込筒の前方（屋外側）を覆うフードとを備えて構成されており、この差込筒およびフードを通じて、室内の空気が建物外へ排出されるようになっている。例えば特開２０１４−６６４０４号公報（特許文献１）には、その一つの従来例である換気口カバーが開示されている。
【先行技術文献】
【特許文献】
【０００３】
【特許文献１】特開２０１４−６６４０４号公報
【発明の概要】
【発明が解決しようとする課題】
【０００４】
この特許文献１の換気口カバーのように、換気口カバーにおいては室内の空気をスムーズに屋外に排出できるようフードの内部を空洞として気流を妨げる部位を設けない構造としたものが多い。そして、こうした通気性能における制約があることから、換気口カバーの内部に、屋外の騒音や雨滴のぶつかり音が換気口カバーから室内に届くのを防ぐための騒音対策を施すこと自体が難しく、対策を取るにしても、例えばフードの内面に吸音材を貼り付ける程度で済ませてしまっている。
【０００５】
以上のような従来の換気口カバーを背景になされたのが本発明である。その目的は、フードの内部に部材を設けても圧損性能を損なわない換気口カバーを提供することにある。
【課題を解決するための手段】
【０００６】
上記目的を達成すべく、本発明は以下のように構成される。
【０００７】
即ち、本発明は、建物の外壁に開口する換気口の屋外側端末に差し込ませて接続する差込筒と、差込筒の前方を覆うフードとを備える換気口カバーにおいて、フード内に気流制御板を備えており、この気流制御板は、フード正面に設けた開口部側から差込筒の開口側に向けて拡開する整流壁と、該整流壁に設けた通気口となる通気窓とを有することを特徴とする。
本発明の気流制御板は、フードの内部に、フード正面に設けた開口部側から差込筒の開口側に向けて拡開する整流壁を形成する。これを気流の流れ方向で捉えると、気流制御板は、差込筒の開口側から開口部に向けて通気路が窄んでいくような整流壁を形成し、そして通気口となる通気窓から開口部に向けて吹き出す。本発明の換気口カバーでは、フードの内部でこうした気流制御が行われることで、フードの内部に何も設けず空洞とした場合よりも圧損性能を向上させることができる。
【０００８】
こうした気流制御板は、フード正面に設けた開口部側から差込筒の開口側に向けてＶ字状に拡開する整流壁を形成することができる。
整流壁がフード正面に設けた開口部側から差込筒の開口側に向けてＶ字状に拡開するため、室内からフードの内部に吹き込んだ空気の流れをＶ字状の整流壁で通気窓に導くことで圧損係数を低くすることができる。
【０００９】
通気窓は、気流制御板の中央部分を貫通するものとすることができる。通気窓を気流制御板の中央部分を貫通するものとしたため、差込筒からフードに吹き込んだ気流を整流壁により気流制御板の中央部分に集めて流し圧損性能を向上させることができる。
【００１０】
通気窓はまた、気流制御板の底部を分かち整流壁を逆Ｕ字状に形成するものとすることができる。通気窓を気流制御板の底部を分かち整流壁を逆Ｕ字状に形成するものとしたため、フードの正面の下側に設けた開口部に対して効果的に排気できるような通気路を確保することができる。
【００１１】
通気窓の外形を略八角形状とすることができる。通気窓の外形を略八角形としたため、
単に円形にするよりも圧損係数を小さくすることができる。そのため、換気性能に優れた換気口カバーとすることができる。
【００１２】
気流制御板については、その上部、側部および底部をフードの上面、側面および底面に接するようにし、通気窓を気流制御板の中央よりも下方に設けるようにすることができる。
気流制御板の上部、側部および底部をフードの上面、側面および底面に接するようにしたため、差込筒の開口から流入する気流の整流壁の外側への回り込みを防ぐことができる。また、通気窓を気流制御板の中央よりも下方に設けるようにしたため、差込筒の開口から流入する気流が中央よりも下方に開いた通気窓に流れ込み、フード正面の下側に位置する開口部にその気流が向かい易い。こうしたことから、フード内を空洞とするよりも圧損性能に優れた換気口カバーとすることができる。
【００１３】
開口部はフード正面の下側に設けたガラリとすることができる。開口部をフード正面の下側を開口するように設けたため、差込筒の開口から通気窓を通じて流入する気流を建物の下方に向けて排出することができる。また、開口部をガラリとすることでデザイン的にも優れ、建物の外観を損ねることがない。
【００１４】
整流壁はまた、基体となる金属又は樹脂板に空間補充材を積層させて構成することができる。
空間補充材はある程度のボリュームのある空間を充てんするものであり、金属や樹脂板のように重くなく単位体積あたりの重量がこれよりも軽い多孔質体のプラスチックや繊維状物などであり、金属や樹脂板のような音を反射する部材よりも吸収効果に優れるものである。整流壁を、基体となる金属又は樹脂板に対して吸音効果の高い空間補充材を積層させたものとしたため、建物の外部からの騒音を吸音する効果が高まり、防音効果のある換気口カバーとすることができる。また、空間補充材を簡単に取り外すことができ、洗浄や、取替えを容易に行うことができる。吸音性能に優れた素材があれば、そうした素材に簡単に取り替えて、より吸音性能の良い換気口カバーとすることができる。
【００１５】
整流壁は、その全体をシート状の空間補充材で形成したものとすることができる。
整流壁をシート状の空間補充材で形成したため、換言すれば、整流壁自体を金属や樹脂板よりも吸音効果のある材質で形成したため、気流の制御と吸音とを同時に行わせることができる。また、空間補充材を保持する基体となる金属や樹脂板を省くことができ、製造が容易である。そして、シート状であるため、１枚でも複数枚を重ねてでも使用することが可能である。
【００１６】
整流壁の厚みは、５〜５０ｍｍとすることができる。
整流壁の厚みを、５〜５０ｍｍとしたため、圧損を高めることなく、気流を効果的に排出することができる。
【発明の効果】
【００１７】
本発明の換気口カバーによれば、フードの内部に整流壁と通気窓を有する気流制御板を設けることで圧損性能を向上させて換気性を高めることができる。また空間補充材のような吸音材を組み込んで屋外の騒音を室内に伝え難くすることができる。さらに本発明の換気口カバーによれば、正面の下側に前方に向けて開口するガラリを有しており、外部の騒音が換気口カバーに入りやすい外観デザインとしながらも、気流制御板による排気の通気性能を高めることができ、気流制御板に空間補充材のような吸音材を用いれば、吸音性能と排気の通気性能とを両立することができる付加価値の高い換気口カバーを実現することができる。
【図面の簡単な説明】
【００１８】
【図１】第１実施形態の換気口カバーの正面図である。
【図２】図１の換気口カバーの背面図である。
【図３】図１の換気口カバーの平面図である。
【図４】図１の換気口カバーの底面図である。
【図５】図１の換気口カバーの左側面図である。
【図６】図１の換気口カバーの右側面図である。
【図７】図１の換気口カバーの斜視図である。
【図８】差込筒と取付枠にフード前部を取り付ける状態を中央断面で示す説明図である。
【図９】差込筒とフードとが一体となった換気口カバーを中央断面で示す説明図である。
【図１０】フードの内側の気流制御板の取付け状態を説明する説明図であり、フードの取付枠を外して差込筒側から見た図である。
【図１１】換気口カバーの上側（平面側）から見たフードの内側の気流制御板の取付け状態を説明する説明図である。
【図１２】フード前部に背面吸音部を装着した状態で、フードの背面側（差込筒側）から見た図である。
【図１３】フード前部から背面吸音部を取り除いた状態で、フードの背面側（差込筒側）から見た図である。
【図１４】分図１４（ａ）は、試料１の換気口カバーの上面側から見た気流制御板と背面吸音部の配置を説明する図と、換気口カバーの正面側から見た気流制御板の形状を説明する図である。分図１４（ｂ）は試料２の分図１４（ａ）に相当する図である。分図１４（ｃ）は試料３の分図１４（ａ）に相当する図である。
【図１５】分図１５（ａ）は、試料４の換気口カバーの上面側から見た気流制御板と背面吸音部の配置を説明する図と、換気口カバーの正面側から見た気流制御板の形状を説明する図である。分図１５（ｂ）は試料５の分図１５（ａ）に相当する図である。分図１５（ｃ）は試料６の分図１５（ａ）に相当する図である。
【図１６】分図１６（ａ）は、試料７の換気口カバーの上面側から見た気流制御板と背面吸音部の配置を説明する図と、換気口カバーの正面側から見た気流制御板の形状を説明する図である。分図１６（ｂ）は試料８の分図１６（ａ）に相当する図である。
【発明を実施するための形態】
【００１９】
以下、本発明の好適な実施形態を図面に基づいて説明する。以下の各実施形態で共通する構成については、同一の符号を付して重複説明を省略する。
【００２０】
第１実施形態〔図１〜図１４〕：
本実施形態の換気口カバー１１の６面図を図１〜６で、その斜視図を図７で示す。この換気口カバー１１は、建物の外壁Ｗに開口する換気口Ｈの屋外側端末に差し込ませて接続する差込筒１２と、差込筒１２の前方を覆うフード１３とを備え、フード１３内に後述する気流制御板１５が設けられている。
室内の空気は、換気口に挿入した差込筒１２から換気口カバー１１内に入り、フード１３に設けた気流制御板１５を通過し、フード１３の正面に設けたガラリ１６を通じて屋外へ排出されるようになっている。次に換気口カバー１１を構成する各部位について説明する。
【００２１】
＜差込筒１２＞
差込筒１２は円筒状であり、建物の外壁Ｗに設けられる換気口Ｈに屋外側から差し込むことで取り付けることができる。図８で示すように、差込筒１２の開口１２ａには外周側に向けて外向きフランジ１２ｂが設けられており、後述するフード１３の背面をなす取付枠１３ｅに対してネジＮなどで固定される。
【００２２】
＜フード１３＞
フード１３は、差込筒１２の前方（屋外側）に設けられ、換気口カバー１１の屋外側に突き出す部分である。フード１３の形状は、略直方体状であり、略長方形をした正面１３ａには、その下側半分に空気を外部に排出するガラリ１６が設けられている。このように本実施形態のガラリ１６は、フード１３の正面１３ａで前方に向けて開口しているため、圧力損失の低下を起こし易く、特に屋外の騒音がフード１３の内部に入りやすい構造とされている。
【００２３】
また、この正面１３ａと同様に略長方形をした上面１３ｂ、側面１３ｃ、底面１３ｄとで構成されるフード前部は、図８で示すように、後述する背面吸音部１７とともに、背面部となる取付枠１３ｅに嵌め込み、ビスＮ等で固定される。こうして換気口カバー１１のフード１３が形成される（図９参照）。
【００２４】
なお、フード１３の正面１３ａに設けた開口部には、本実施形態では横方向に連続して開口する横ガラリ１６を採用しているが、これに限定されず、縦方向に連続して開口する縦ガラリとしても良い。また、ガラリではなく、単なる網であっても良い。
【００２５】
＜気流制御板１５＞
図１０は、フード１３の取付枠１３ｅを外し、差込筒１２側から見たフード１３内側の気流制御板１５の取付け状態を説明する説明図である。また、図１１は、換気口カバー１１の上側（平面側）から見たフード１３内側の気流制御板１５の配置を説明する説明図である。
【００２６】
これらの図で示すように、フード１３の内部には、空気の流れを整える気流制御板１５が設けられており、この気流制御板１５は、フード１３の正面１３ａ（ガラリ１６も設けられている面）から差込筒１２に向けて拡開する形状をなし、特に本実施形態では、Ｖ字状に拡開し底面１３ｄから上面１３ｂに立設する立壁となる整流壁１５ａが形成されている。整流壁１５ａの中央部分には、略八角形状に開口した通気窓１５ｂが設けられ、室内から流れ出す空気の通気口となる。
【００２７】
整流壁１５ａは金属板や樹脂板などで形成することができるが、これらを基体として吸音材として機能する空間補充材を接着剤や両面テープ等を貼り付け積層しても良い。あるいはまた整流壁１５ａの全体を空間補充材で形成することも可能である。本実施形態では１枚のシート状の空間補充材を幅方向の中央付近で屈曲して平面視でＶ字状としたものを例示している。もちろん１枚ではなく２枚以上のシート状の空間補充材をＶ字状に配置してもよい。
【００２８】
こうした空間補充材としては、ポリエステル繊維などの樹脂繊維や、こうしたプラスチック材からなる多孔質体、あるいは不織布状のものや、グラスウールなどを例示することができ、従来から換気口カバーの吸音材として用いられてきたものも含むものである。その空間補充材自体からなる整流壁１５ａ、またはこの空間補充材と基体となる金属萬や樹脂板を積層してなる整流壁１５ａの厚みは、５ｍｍ〜６０ｍｍとすることが好ましく、５ｍｍ〜５０ｍｍとすることがより好ましく、１５ｍｍ〜４０ｍｍとすることがなおより好ましい。５ｍｍよりも薄いと、吸音効果が要求されるほどには望めなくなり、６０ｍｍを超えると、吸音効果は優れるものの、コスト高となる他、小型の換気口カバー１１とする場合には厚みが厚すぎて収容が困難となる。１５ｍｍ〜４０ｍｍとすることで圧損係数を低くして吸音効果も高めることができる。このように適用する整流壁１５ａの厚みには幅があるが、圧損を低下させるには薄いよりも厚い方がよい。即ち、Ｖ字状に配置した整流壁１５ａの厚みを厚くすればするほど、フード１３の内部空間が整流壁１５ａにより占有され、差込筒１２から吹き込む気流がフード１３の内部で乱流を起こしにくくなり、整流壁１５ａの側面で整流されてガラリ１６に誘導されるためである。
【００２９】
また、通気窓１５ｂは、気流制御板１５の中央部分を貫通したものであり、円形、楕円形、あるいは六角形や八角形といった多角形状にすることができる。こうした形状の通気窓１５ｂはその周囲を整流壁で囲まれた構成とすることができるが、気流制御板１５の底部、即ちフード１３の底面１３ｄに接地する部分の中央を貫通させて、整流壁１５ａを逆Ｕ字状（門状）に形成しても良い。図１０で示した気流制御板１５は、その底部を分かち整流壁１５ａを逆Ｕ字状の形状としている。
【００３０】
また、図１０で示すように、気流制御板１５の上部、側部および底部をフードの上面１３ｂ、側面１３ｃおよび底面１３ｄに接するようにし、通気窓１５ｂを気流制御板１５の中央よりも下方に設けるようにすることが好ましい。フード１３の正面１３ａの下側に設けたガラリ１６に向かって効率良く空気が流れるようにするためである。
【００３１】
＜背面吸音部１７＞
フード１３内には、図８で示したように、取付枠１３ｅ内に背面吸音部１７を設けている。背面吸音部１７は外部からの騒音を吸収する部位である。したがって、背面吸音部１７には整流壁１５ａで利用する空間補充材と同様の材質を利用することができるが、こうした中でも吸音効果に優れた吸音材を利用することが好ましい。
【００３２】
背面吸音部１７は、差込筒１２の開口１２ａに対向する部位に六角形状の孔１７ａが開いており、その外形は取付枠１３ｅの外形に沿った形状としている。またその厚みは、気流制御板１５と同様に、５ｍｍ〜６０ｍｍとすることが好ましく、５ｍｍ〜５０ｍｍとすることがより好ましく、１５ｍｍ〜４０ｍｍとすることがなおより好ましい。５ｍｍよりも薄いと吸音効果は少なくなり、６０ｍｍを超えると、吸音効果は優れるものの、コスト高となり、また厚みが厚すぎて全体的なサイズが大きくなる。１５ｍｍ〜４０ｍｍとすることで圧損係数を低くして吸音効果も高めることができる。
【００３３】
図１２はフード前部に背面吸音部１７を装着した状態で、フード１３の背面側（差込筒１２側）から見た図である。また、図１３はフード前部から背面吸音部１７を取り除いた状態で、フード１３の背面側（差込筒１２側）から見た図である。これらの図からもわかるように、背面吸音部１７の孔１７ａは、差込筒１２の開口１２ａとほぼ同じ位置で同じ大きさに形成され、フード１３の中央よりもやや上方に位置している。これに対し、気流制御板１５の通気窓１５ｂは、これよりやや大きく、また、フード１３の中央よりもやや下方に位置している。
【００３４】
＜作用＞
建物の屋内側から換気口Ｈを通って差込筒１２に到達した気流はフード１３の内に吹き込む。その気流はフード１３の内部に広がるものの気流の出口は通気窓１５ｂしかなく、フード１３の内部に広がった空気は、通気窓１５ｂに至る整流壁１５に沿って流路を狭めながら通気窓１５ｂに至る。このとき、気流制御板１５の通気窓１５ｂは、差込筒１２の開口１２ａよりはやや下側に設けられているので、下方に向かって気流が進んでいく。通気窓１５ｂを通過した気流は、その前方に設けられたガラリ１６の隙間から換気口カバー１１の外に排出される。
【００３５】
また、整流壁１５ａに吸音効果のある空間補充材を用いている場合は、屋外の騒音がガラリ１６の隙間からフード１３内に入ると、拡開する気流制御板１５に当たり吸収される。気流制御板１５に当たらずに気流制御板１５の通気窓１５ｂを通過した騒音も、直接的に背面吸音部１７に当たって吸収されたり、フード１３の内面に当たってもフード１３内で反射を繰り返した後、気流制御板１５や背面吸音部１７に当たって吸収されたりする。こうして外部の騒音の大部分は換気口カバー１１内で吸収される。したがって、室内からの排気は圧損が少なく好適に排気でき、また屋外からの騒音は効果的に気流制御板１５や背面吸音部１７に吸収されて室内に届く騒音は小さくなる。
【００３６】
第２実施形態：
本実施形態の換気口カバーもまた気流制御板の形状を変えたものである。
第１実施形態の換気口カバー１１では、フード正面に設けたガラリ側から差込筒の開口側に向けてＶ字状に拡開する立壁で整流壁を形成したが、これに変えて、フード正面に設けたガラリ側から差込筒の開口側に向けてＶ字状に拡開する横板で整流壁を形成することができる。換言すれば、第１実施形態の気流制御板は、フード１３の正面１３ａから両側壁１３ｃ，１３ｃに向かって広がるものとしたが、本実施形態の気流制御板は、フード１３の正面１３ａから上面１３ｂと底面１３ｄに向かって広がるようにしたものである。こうした気流制御板を設けても圧力損失を高めること無く換気性に優れた換気口カバーとすることができる。
【実施例】
【００３７】
実験例１：
＜試験体（試料）の製造＞
フード(13)の正面から見た大きさが縦２３２ｍｍ、横３３２ｍｍであり、奥行きが１２７ｍｍとなる直方体形状のフード前部をＳＵＳ製板材で形成し、このフード前部に、直径１４７ｍｍ、奥行きが６３ｍｍの円筒状に同板材で形成した差込筒(12)と取付枠(13e)を固定した試験体を製造した。フード(13)の正面(13a)にはその下半分に横ガラリ(16)を設けている。また、このフード(13)の内側の取付枠(13e)には、厚みが２５ｍｍでポリエステル繊維からなる背面吸音部(17)を取り付けた。背面吸音部(17)には、差込筒(12)の開口(12a)に対向する部位はくりぬいて貫通孔(17a)としている。また、ポリエステル繊維からなり厚みが２５ｍｍである以下に説明する種々の形状からなる気流制御板(15)も吸音材としてこのフード(13)内に取り付けた。
【００３８】
試料１として、フード(13)の正面(13a)から差込筒(12)に向けてＶ字状に拡開し、中央部分には底部が切り欠いた八角形状の通気窓(15b)を設けた整流壁(15a)を取り付けた。図１４（ａ）には、その左側に、試料１の換気口カバー(11)の上面(13b)側から見た気流制御板(15)と背面吸音部(17)の配置を説明する図を示した。その右側には、正面(13a)から見た気流制御板(15)の形状を示した。
試料２は、図１４（ｂ）で示すように、整流壁(15a)に設けた通気窓(15b)の形状を楕円状とした。
試料３は、図１４（ｃ）で示すように、整流壁(15a)に設けた通気窓(15b)の形状を六角形状とした。
試料４は、図１５（ａ）で示すように、平板状とした外枠に中央部分が試料１と同様の形状の通気窓(15b)を開けた整流壁(15a)を、フード(13)の正面(13a)と平行にその裏に設けた。
試料５は、図１５（ｂ）で示すように、通気窓(15b)の形状は試料４と同じであるが、その気流制御板(15)の配置をフード(13)の中央部分とした。
試料６は、図１５（ｃ）で示すように、通気窓(15b)の形状は試料４と同じであるが、その気流制御板(15)の配置をフード(13)の後ろ側、即ち、背面吸音部(17)に接触させて配置した。
試料７は、図１６（ａ）で示すように、フード(13)の正面(13a)から差込筒(12)に向けて逆Ｖ字状に縮まり（差込筒(12)側からフード(13)の正面(13a)側に向けてＶ字状に拡開し）、中央部分には底部が切り欠いた八角形状の通気窓(15b)を設けた整流壁(15a)を取り付けた。
試料８は、図１６（ｂ）で示すように、背面吸音部(17)を設けたものの、気流制御板(15)は取り付けなかった。
【００３９】
＜圧損係数と予測騒音＞
上記試料１〜８について、圧損係数と予測騒音レベルを求めて次の表１に示す。予測騒音レベルは、リアルタイムアナライザー（株式会社小野測器社製「ＤＳ−９１１０」（商品名））を用い、音響インテンシティー法に基づいて音響透過損失を測定することにより外部騒音が７０ｄｂ時の室内予測騒音レベルを導いた。
【００４０】
【表１】
0006294267.tif 000002
【００４１】
フードのガラリ側から差込筒の開口に向けてＶ字状に拡開する整流壁を設けた試料１〜３は、整流壁に設けた通気窓の形状がそれぞれ異なるものの、何れの試料も気流制御板を設けなかった試料８よりも騒音レベルが低くなるだけでなく、圧損係数も低くなり、換気性能をより向上させながら防音性能を高めることができることがわかる。圧損係数の値から、換気性能としては、通気窓の形状は角形よりも円形が好ましいことがわかる。また、同様に圧損係数の値から、気流制御板の底部に吸音材が無い試料３よりも、気流制御板の底部にも吸音材が回り込んで存在する試料１や試料２の方が換気性能に優れることがわかる。
【００４２】
また、この気流制御板の向きを反対にして逆Ｖ字状に設けた試料７では、圧損係数が非常に大きくなり防音効果はあるものの換気性能が悪くなる。また、気流制御板を正面と平行に設けた試料４〜６では、防音効果はあるものの、圧損係数が大きくなり換気性能を悪化させることがわかる。
【００４３】
実験例２：
実験例１の試料１と同様の形状の気流制御板について、その厚みを変化させたときの圧損係数の相違を調べた。その結果、フードの内部に気流制御板を設けない場合の圧損係数は２．２８、厚み２ｍｍの金属板を試料１と同形状にした気流制御板の圧損係数は２．０７、厚み１７ｍｍで試料１と同材質・同形状にした場合の圧損係数は１．８１、厚み２５ｍｍで試料１と同材質・同形状にした場合の圧損係数は１．７２、厚み４０ｍｍで試料１と同材質・同形状にした場合の圧損係数は最も低い１．４６となった。これより、気流制御板に用いる吸音材の厚みが厚くなるほど圧損係数が小さくなり、換気性能が高まることがわかる。また、防音効果は吸音材の厚みが厚いほど良い。したがって、用いる吸音材の厚みは厚いほど好ましいことがわかる。このようにＶ字状に配置した吸音材の厚みを厚くすればするほど、フードの内部の空間が吸音材で占有され、差込筒からフードの内部に吹き込む気流がフードの内部で乱流を起こしにくくなり、吸音材の側面を整流壁としてガラリに淀みなく誘導されることで、圧損係数が小さくなるものと推察される。
【００４４】
上記実施形態や実施例は本発明の例示であり、本発明の趣旨を逸脱しない範囲で、実施形態の変更や、一部の削除、または公知技術の付加や、組合せ等を行い得るものであり、それらの技術もまた本発明の範囲に含まれるものである。
【００４５】
例えば、防音効果を高めるためには背面吸音部１７を備えていることが好ましいが、背面吸音部１７を設けない仕様とすることも可能である。前記実施形態では気流制御板１５を１枚の吸音材を曲げてＶ字状に配置する例を示したが、２枚以上の吸音材をＶ字状に配置してもよい。前記実施形態ではフード１３のガラリ１６は正面１３ａの下側に配置する例を示したが、その他の正面１３ａの中央等、その他の配置形態でも良く、それに応じて通気窓１５ｂの位置も変更され得る。フード１３の形状は直方体形状としているが、その他の形状であってもよい。
【符号の説明】
【００４６】
１１    換気口カバー
１２    差込筒
１２ａ    開口
１２ｂ    外向きフランジ
１３    フード
１３ａ    正面
１３ｂ    上面
１３ｃ    側面
１３ｄ    底面
１３ｅ    取付枠（背面部）
１５    気流制御板
１５ａ    整流壁
１５ｂ    通気窓
１６    ガラリ
１７    背面吸音部
１７ａ    穴
Ｗ    外壁
Ｈ    換気口
Ｎ    ビス
【図１】
0006294267.tif 000003
【図２】
0006294267.tif 000004
【図３】
0006294267.tif 000005
【図４】
0006294267.tif 000006
【図５】
0006294267.tif 000007
【図６】
0006294267.tif 000008
【図７】
0006294267.tif 000009
【図８】
0006294267.tif 000010
【図９】
0006294267.tif 000011
【図１０】
0006294267.tif 000012
【図１１】
0006294267.tif 000013
【図１２】
0006294267.tif 000014
【図１３】
0006294267.tif 000015
【図１４】
0006294267.tif 000016
【図１５】
0006294267.tif 000017
【図１６】
0006294267.tif 000018